(57)【特許請求の範囲】
【請求項１】
昇降路内に設置される制御駆動ユニットと、
前記制御駆動ユニット内に設けられたインバータユニットと、
前記制御駆動ユニット内に設けられる冷却ファンと、
前記制御駆動ユニットの上部に配置され、内部に複数の回生抵抗が上下方向複数段に亘って配置される回生抵抗ユニットと、
前記冷却ファンからの送風を前記回生抵抗ユニットに導くことにより送風流体の流れが前記上下方向であって前記インバータユニットから前記回生抵抗ユニットへの方向となる第１の排気口と、
前記回生抵抗ユニットに設けられ前記冷却ファンからの送風を外部に排気する第２の排気口と、
を備え、
前記回生抵抗ユニット内に配置される回生抵抗は上方からの投影面積上、前記冷却ファンの設置範囲と重複しないように配置され、前記第２の排気口は少なくともその一部が正面からの投影面積上、前記回生抵抗の配置範囲と重複するように前記回生抵抗ユニットに配置されることを特徴とするエレベータ制御装置。
【請求項２】
前記第２の排気口は、前記第２の排気口が設けられる前記回生抵抗ユニットの面を上下２分割した場合、開口量の比率が上部より下部のほうが大きくなることを特徴とする請求項１に記載のエレベータ制御装置。
【請求項３】
上下方向複数段に設けられる前記回生抵抗は、上方からの投影面積上、互いに重複しないように配置されることを特徴とする請求項１に記載のエレベータ制御装置。
【請求項４】
前記第２の排気口は、正面からの投影面積上、前記回生抵抗の配置範囲内に収まるように前記回生抵抗ユニットに配置されることを特徴とする請求項１に記載のエレベータ制御装置。
【請求項５】
前記回生抵抗ユニット内に前記冷却ファンから送風される冷却風を前記回生抵抗へ導くための整風板を少なくとも１つ設けたことを特徴とする請求項１に記載のエレベータ制御装置。
【請求項６】
前記整風板は上方からの投影面積上、前記冷却ファンの設置範囲と重複する範囲内であって、前記回生抵抗の下部高さに配置されることを特徴とする請求項５に記載のエレベータ制御装置。
【発明の詳細な説明】
【技術分野】
【０００１】
本発明の実施形態は、筐体内の発熱体を効率的に冷却する構造を有するエレベータ制御装置に関する。
【背景技術】
【０００２】
従来、エレベータの制御装置の上部には回生抵抗等の発熱体を収納する回生抵抗ユニットが設置されている。この回生抵抗の冷却は回生抵抗ユニットに設けられた排気口からの排熱によって行われたり、回生抵抗間の間隔を十分に確保するなどして行われている。また、これらの自然空冷以外にも、空冷ファンを設けて回生抵抗を冷却する強制空冷も行われている。
【先行技術文献】
【特許文献】
【０００３】
【特許文献１】特開２００５−１７６４８８号公報
【発明の概要】
【発明が解決しようとする課題】
【０００４】
しかしながら、上記のような空冷方式ではバランスよく各回生抵抗を冷却することができず、回生抵抗ユニット内の回生抵抗の配置によって、各回生抵抗の温度にばらつきが生じてしまう。各回生抵抗の温度にばらつきが生じると、各回生抵抗の寿命も異なってくる。回生抵抗の寿命が異なると、点検や交換作業が煩雑になってしまう。
【０００５】
そこで本発明の実施形態に係るエレベータ制御装置は、各回生抵抗間の温度上昇をバランスよく抑制し、寿命のばらつきの少なくすることが可能である冷却構造を有するエレベータ制御装置の提供を目的とする。
【課題を解決するための手段】
【０００６】
上記目的を達成するために、本発明の実施形態に係るエレベータ制御装置は、昇降路内に設置される制御駆動ユニットと、前記制御駆動ユニット内に設けられたインバータユニットと、前記制御駆動ユニット内に設けられる冷却ファンと、前記制御駆動ユニットの上部に設置され、内部に複数の回生抵抗が上下方向複数段に亘って配置される回生抵抗ユニットと、前記冷却ファンからの送風を前記回生抵抗ユニットに導くことにより送風流体の流れが前記上下方向であって前記インバータユニットから前記回生抵抗ユニットへの方向となる第１の排気口と、前記回生抵抗ユニットに設けられ前記冷却ファンからの送風を外部に排気する第２の排気口と、を備え、前記回生抵抗ユニット内に配置される回生抵抗は上方からの投影面積上、前記冷却ファンの設置箇所と重複しないように配置され、前記第２の排気口は少なくともその一部が正面からの投影面積上、前記回生抵抗の配置箇所と重複するように前記回生抵抗ユニットに配置されることを特徴とする。
【図面の簡単な説明】
【０００７】
【図１】本発明の第１の実施形態に係るエレベータ制御装置を示す斜視図である。
【図２】本発明の第１の実施形態に係るエレベータ制御装置を示す正面図である。
【図３】本発明の第２の実施形態に係るエレベータ制御装置を示す正面図である。
【図４】本発明の第３の実施形態に係るエレベータ制御装置を示す正面図である。
【図５】本発明の第４の実施形態に係るエレベータ制御装置を示す正面図である。
【図６】本発明の第４の実施形態に係るエレベータ制御装置の水平断面図である。
【図７】本発明の第５の実施形態に係るエレベータ制御装置を示す正面図である。
【発明を実施するための形態】
【０００８】
以下、本発明の実施形態について図面を参照して説明する。
【０００９】
（第１の実施形態）
図１は、本発明の第１の実施形態に係るエレベータ制御装置の斜視図である。図２は本発明の第１の実施形態に係るエレベータ制御装置を示す正面図である。
【００１０】
まず、図１を用いて本発明の第１の実施形態に係るエレベータ制御装置の構成について説明する。
【００１１】
図１に示すように本発明の第１の実施形態に係るエレベータ制御装置１は、制御駆動ユニット２と、制御駆動ユニット２内に設置されるインバータユニット３と、制御駆動ユニット２の上部に設置され内部に回生抵抗４を複数備えている回生抵抗ユニット５を有する構成となっている。また、インバータユニット３には、冷却フィン６と冷却フィン６上に配置される半導体スイッチング素子７が備えられている。制御駆動ユニット２には、半導体スイッチング素子７を冷却するための冷却ファン８が設置されている。そして、冷却ファン８から送風される冷却風をインバータユニット３から回生抵抗ユニット５に導くための第１の排気口９が制御駆動ユニット２上部に設けられている。そして、その第１の排気口９から導かれた冷却風によって回生抵抗ユニット５内部に設置されている回生抵抗４を冷却する構成となっている。さらに回生抵抗ユニット５には、第１の排気口９から導かれた冷却風を外部へ排気するための第２の排気口群１０が設けられている。
【００１２】
ここで、図２を用いて本発明の第１の実施形態に係るエレベータ制御装置における冷却フィン６、半導体スイッチング素子７及び第１の排気口９の配置関係について説明する、図２に示すように、エレベータ制御装置１を正面から見た場合、冷却フィン６や半導体スイッチング素子７は制御駆動ユニット２を左右２分割したときに右側半分の範囲内に配置されるように設置されている。これと同様に、冷却ファン６、第１の排気口９についても制御駆動ユニット２の右側半分の範囲内に配置される。
【００１３】
次に、本発明の第１の実施形態に係るエレベータ制御装置における回生抵抗４及び第２の排気口群１０の配置関係について説明する。本実施形態においては、回生抵抗４を効率よく冷却するために、回生抵抗ユニット５内における回生抵抗４の配置及び、回生抵抗ユニット５に設けられる第２の排気口群１０の配置を以下のようにする。
【００１４】
回生抵抗４は、エレベータ制御装置１の上方投影面積上、冷却ファン６の設置範囲内に入らないような位置に上下二段に亘って配置される。すなわち、図２に示すように回生抵抗ユニット５を左右に２分割した場合、左側半分の範囲内に回生抵抗４が上下二段に亘って配置される。
【００１５】
さらに図２に示すように第２の排気口群１０は、回生抵抗４の配置箇所に対応するように回生抵抗ユニット５正面側に上下二段に亘って配置される。さらに、第２の排気口群１０はエレベータ制御装置１の正面からの投影面積上すなわち図２から見て、その一部が回生抵抗４の配置と重複するように配置される。
【００１６】
以上のように、本実施形態に係るエレベータ制御装置１における回生抵抗４、冷却ファン８、第１の排気口９及び第２の排気口群１０の配置を定めることにより、半導体スイッチング素子７を冷却する冷却ファン８から送り込まれる冷却風が回生抵抗ユニット５内の回生抵抗４を均一に冷却することが可能となる。
【００１７】
これは、冷却風の流れと回生抵抗４の配置及び第２の排気口群１０の配置等によるものである。詳細に説明すると、まず冷却風の流れとしては、流体の特性として回生抵抗ユニット５内壁に沿って流れる。つまり、図２から見て、回生抵抗ユニット５の右下に設置される第１の排気口９から送風される冷却風は回生抵抗ユニット５内を右側面に沿って上方向に気流が流れる。そして、右上周辺に流れた冷却風は、上面に沿って左側面に向かって流れる。そして、左上周辺に流れた冷却風は左側面に沿って下方向に流れる。
【００１８】
このような気流の流れを考慮して、回生抵抗４、冷却ファン８、第１の排気口９及び第２の排気口群１０の配置が決定されている。本実施形態においては、既述のように回生抵抗ユニット５を正面から見て左右２分割した場合に、冷却ファン８及び第１の排気口９を右側にあたる箇所に設置し、一方、回生抵抗４及び第２の排気口群１０は左側にあたる範囲内に設置される。これにより、回生抵抗ユニット５の右下部分から送り出される冷却風を直接的に回生抵抗４が受けることなく、かつ、回生抵抗ユニット５内に均一に冷却風が送り込まれ、回生抵抗ユニット５内の左側の範囲内に２段亘って配置される回生抵抗４を均一に冷却することが可能となる。
【００１９】
よって、回生抵抗４が均一に冷却されることにより、回生抵抗４の寿命のばらつきをなくし、それらの点検・交換作業の効率を向上させることができる。また、本実施形態のような構成とすることにより、従来に比して回生抵抗４を十分に冷却することができるため、回生抵抗一つあたりの発熱量を増加させ、回生抵抗ユニット内の回生抵抗の総数を減らすことができる。これにより、従来よりも省スペースなエレベータ制御装置を提供することが可能となる。
【００２０】
なお、本実施形態においては、回生抵抗４及び第２の排気口群１０が上下二段に亘って配置されるものとしたが、それに限らず、三段や四段などに配置するものとしてもよい。
【００２１】
（第２の実施形態）
次に第２の実施形態について説明する。図３は第２の実施形態に係るエレベータ制御装置を示す正面図である。
【００２２】
第１の実施形態では、回生抵抗ユニット５上に配置される第２の排気口群１０が回生抵抗４に対応して上下二段に亘って配置される構成として説明したが、本実施形態では回生抵抗４に対応して上下段ごとに配置される第２の排気口群１０の配置数に差を設けることにより、より均一に冷却ファン８からの冷却風を回生抵抗ユニット５内に送り込ませる構成とする。以下、詳細に説明する。
【００２３】
図３に示すように、回生抵抗ユニット５に設けられる第２の排気口群１０の配置数を上段に比して下段が多くなるように第２の排気口群１０を配置する。例えば、上段：下段の割合を１：２にして第２の排気口群１０を回生抵抗ユニット５正面上に配置する。このような比率で回生抵抗ユニット５上に第２の排気口群を配置することによって、冷却ファン８から回生抵抗ユニット５に送り出される冷却風が、より回生抵抗ユニット５内を循環するものとなる。これは、第１の実施形態でも説明したように、回生抵抗ユニット５内に送り込まれる冷却風が回生抵抗ユニット５内壁に沿って流れるという流体の特性を利用するものである。
【００２４】
すなわち、第１の実施形態で既述のように、回生抵抗ユニット５の右下に設置される第１の排気口９から送風される冷却風は回生抵抗ユニット５内をまずは右側面に沿って上方向に気流が流れる。そして、右上周辺に流れた冷却風は、上面に沿って左側面に向かって流れる。そして、左上周辺に流れた冷却風は左側面に沿って下方向に気流が流れる。このとき、本実施形態のように回生抵抗ユニット５上に上下二段に亘って配置される第２の排気口群１０の配置比率を上段：下段＝１：２とすることで、冷却風が回生抵抗ユニット５内の左上付近から左下方向へ流れる際に、上段の第２の排気口群１０にて冷却風が外部へ排出されないまま、左下方向へ冷却風を導くことができる。これにより、上段と下段で冷却風の送風量を調整し、回生抵抗ユニット５内の回生抵抗４を均一に冷却することができる。
【００２５】
（第３の実施形態）
次に第３の実施形態について説明する。図４は第３の実施形態に係るエレベータ制御装置を示す正面図である。
【００２６】
第１の実施形態では、回生抵抗ユニット５上に配置される第２の排気口群１０が回生抵抗４に対応して上下二段に亘って配置される構成として説明したが、本実施形態では図４に示すように回生抵抗ユニット５に上下二段設けられる回生抵抗４及び第２の排気口群１０の配置をエレベータ制御装置１の上方投影面積上、重複しないように配置する。
【００２７】
具体的には図４に示すように、回生抵抗４及び第２の排気口群１０は上下段共に、第１の実施形態と同様、回生抵抗ユニット５を左右に２分割した場合、左側半分の範囲内に配置される。そして、その左側半分範囲内で上段の回生抵抗４及び第２の排気口群１０は下段の回生抵抗４及び第２の排気口群１０に比して右側に配置される。つまり、下段の回生抵抗４及び第２の排気口群１０は上段の回生抵抗４及び第２の排気口群１０に比して左側に配置される。
【００２８】
このような配置とすることで、回生抵抗ユニット５内に送り出される冷却風は、上下二段に亘って配置される回生抵抗４間での通りがよくなる。また、回生抵抗４が上方投影面積上、重複しないように配置されることにより、上下二段に亘って配置される回生抵抗４間の距離が遠くなることから、回生抵抗４間での発熱の影響が小さくなり、より回生抵抗４の温度上昇を抑制できる。そして、より均一に回生抵抗４を冷却することができる。
【００２９】
なお、本実施形態に係る第２の排気口群１０については、図４に示すように、上記第２の実施形態と同様に、上下段ごとの配置数に差を設ける構成としているが、それに限らず、上下段共に同様の配置数とすることも可能である。
【００３０】
（第４の実施形態）
次に第４の実施形態について説明する。図５は第４の実施形態に係るエレベータ制御装置を示す正面図である。図６は第４の実施形態に係るエレベータ制御装置の水平断面図である。
【００３１】
第１の実施形態では、第２の排気口群１０はエレベータ制御装置１の正面からの投影面積上すなわち図２から見て、その一部が回生抵抗４の配置と重複するように配置されるものとしたが、本実施形態においては、第２の排気口群１０の全部をエレベータ制御装置１の正面からの投影面積上、回生抵抗４の面積内の範囲におさまるように配置される。
【００３２】
すなわち、第２の排気口群１０が回生抵抗４の投影面積上、回生抵抗４の設置範囲内に配置されることにより、図６に示すように回生抵抗ユニット５内の冷却風は回生抵抗４の表面上を沿うようにして第２の排気口群１０から外部に排出されるようになる。
【００３３】
よって、回生抵抗４の冷却風があたる総面積が大きくなることにより、回生抵抗４の温度上昇を抑制し、より均一に回生抵抗４を冷却することが可能となる。
【００３４】
（第５の実施形態）
次に第５の実施形態について説明する。図７は第５の実施形態に係るエレベータ制御装置を示す正面図である。
【００３５】
本実施形態では、図７に示すように回生抵抗ユニット５内に、冷却ファン８からの冷却風を回生抵抗４に効率よく導くための整風板１１を設けている。整風板１１は、くの字型形状からなり、そのくの字部分の内側を回生抵抗４方向に向けて配置される。なお、本実施形態では回生抵抗４等が上下二段に配置されることから、整風板１１は上段用及び下段用の２つが設けられる。整風板１１はエレベータ制御装置１の上方からの投影面積上、冷却ファン８と重複する範囲内に配置され、かつそれぞれの整風板１１同士が重複しないように配置される。ここでは、下段の回生抵抗４に対応する整風板１１が、上段の回生抵抗４に対応する整風板１１よりも回生抵抗４側すなわち左側に配置される。
【００３６】
また、それぞれの整風板１１は、図７に示すようにエレベータ制御装置１を正面から見た場合に、上下二段に亘って配置される回生抵抗４のそれぞれの下部あたりの高さに配置される。
【００３７】
以上のように、回生抵抗ユニット５内に、冷却ファン８からの冷却風を回生抵抗４に導くための整風板１１を設けることにより、回生抵抗４に対して効率よく冷却風を導くことができ、回生抵抗４の温度上昇を抑制し、より均一に回生抵抗４を冷却することが可能となる。
【００３８】
なお、本実施形態においては、回生抵抗４等を上下二段に亘って配置されることを前提として述べたが、これに限らず、三段、四段など、複数段に亘って配置されるものでもよく、その場合、それらに対応するように整風板１１を設けるものとする。
【符号の説明】
【００３９】
１…エレベータ制御装置
２…制御駆動ユニット
３…インバータユニット
４…回生抵抗
５…回生抵抗ユニット
６…冷却フィン
７…半導体スイッチング素子
８…冷却ファン
９…第１の排気口
１０…第２の排気口群
１１…整風板
【図１】
0005923795.tif 000002
【図２】
0005923795.tif 000003
【図３】
0005923795.tif 000004
【図４】
0005923795.tif 000005
【図５】
0005923795.tif 000006
【図６】
0005923795.tif 000007
【図７】
0005923795.tif 000008